(57)【要約】【課題】携帯電話の使い勝手の向上やコストの低減化を図り、携帯電話の通信状態を良好に保持する。【解決手段】本発明は、携帯電話２０をハンズフリーで通話可能なように保持するための携帯電話保持部品１０であって、頭上部に装着されるヘッドバンド１１と、ヘッドバンド１１の下端部に設けられて携帯電話２０を着脱可能に保持する保持部材１９と、を備え、保持部材１９は、携帯電話２０の姿勢を上下及び前後に変更自在に保持可能なように構成されていることを特徴とする。【選択図】図１
2012244329.tif 000002
【特許請求の範囲】
【請求項１】
携帯電話をハンズフリーで通話可能なように保持するための携帯電話保持部品であって、
頭上部に装着されるヘッドバンドと、
該ヘッドバンドの下端部に設けられて携帯電話を着脱可能に保持する保持部材と、
を備え、該保持部材は、前記携帯電話の姿勢を上下及び前後に変更自在に保持可能なように構成されていることを特徴とする携帯電話保持部品。
【請求項２】
前記保持部材は、前記ヘッドバンドの一方の下端部に設けられる耳当て部に対して上下にスライド自在且つ前後に傾倒自在に設けられ、前記携帯電話の背面部に当接可能な背面保持部と、前記携帯電話の両側面部を挟持可能なように互いに対向する側面保持部と、を備え、前記側面保持部は前記携帯電話の幅に合わせてスライドするように構成されていることを特徴とする請求項１に記載の携帯電話保持部品。
【請求項３】
前記保持部材は、前記ヘッドバンドの一方の下端に設けられる耳当て部に面ファスナーを介して着脱可能に設けられ、前記携帯電話の背面部に当接可能な背面保持部と、前記携帯電話の両側面部を挟持可能なように互いに対向する側面保持部と、を備え、前記側面保持部は前記携帯電話の幅に合わせてスライドするように構成されていることを特徴とする請求項１に記載の携帯電話保持部品。
【請求項４】
前記側面保持部のうちのいずれか一方の側面保持部と前記背面保持部との間にバネが介装され、前記一方の側面保持部は前記背面保持部に対して傾倒可能に設けられていることを特徴とする請求項２又は３に記載の携帯電話保持部品。
【請求項５】
前記側面保持部のうちのいずれか一方の側面保持部は、前記背面保持部の端部に枢設され、該背面保持部に対して傾倒可能に設けられていることを特徴とする請求項２又は３に記載の携帯電話保持部品。
【請求項６】
前記ヘッドバンドの他方の下端部には、側頭部に当接可能な側頭保持部が設けられ、該側頭保持部は、下端部が耳介の付け根部分上部に当接可能なように形成されていることを特徴とする請求項２〜５のいずれか１の請求項に記載の携帯電話保持部品。
【発明の詳細な説明】
【技術分野】
【０００１】
本発明は、携帯電話をハンズフリーで通話可能なように保持するための携帯電話保持部品に関するものである。
【背景技術】
【０００２】
従来、携帯電話をハンズフリーで通話する場合、イヤホンマイクやヘッドセットを携帯電話のイヤホンジャックに接続したり、或いは、無線により携帯電話と接続したりして行っている（例えば、特許文献１参照）。
【先行技術文献】
【特許文献】
【０００３】
【特許文献１】特開平１０−２２４４４９号公報
【発明の概要】
【発明が解決しようとする課題】
【０００４】
しかしながら、上記したイヤホンマイク等を携帯電話に接続して通話する従来の方法では、耳にヘッドセット等を取り付け、携帯電話との間をコードで繋いだままでいなければならず、コードの取り扱いが煩雑となったり、コードが通話中の作業の邪魔になったりするおそれがあり、使い勝手が悪いといった問題があった。また、従来のこの方法では、携帯電話のイヤホンジャックがイヤホンマイクの差し込み口と充電用コネクタの差し込み口を兼用している機種の場合には、充電しながら通話をすることができないため、さらに使い勝手が悪くなるといった問題があった。
【０００５】
一方、上記した無線により携帯電話と接続して通話する従来の方法では、設備コストが高くつくといった問題や、通話中の音声が途切れたりして通信状態を良好に保持するのが難しいといった問題などがあった。
【０００６】
本発明は、上記した課題を解決すべくなされたものであり、携帯電話の使い勝手の向上やコストの低減化を図り、携帯電話の通信状態を良好に保持することのできる携帯電話保持部品を提供することを目的とするものである。
【課題を解決するための手段】
【０００７】
上記した目的を達成するため、本発明は、携帯電話をハンズフリーで通話可能なように保持するための携帯電話保持部品であって、頭上部に装着されるヘッドバンドと、該ヘッドバンドの下端部に設けられて携帯電話を着脱可能に保持する保持部材と、を備え、該保持部材は、前記携帯電話の姿勢を上下及び前後に変更自在に保持可能なように構成されていることを特徴とする。
【０００８】
そして、本発明に係る携帯電話保持部品において、前記保持部材は、前記ヘッドバンドの一方の下端部に設けられる耳当て部に対して上下にスライド自在且つ前後に傾倒自在に設けられ、前記携帯電話の背面部に当接可能な背面保持部と、前記携帯電話の両側面部を挟持可能なように互いに対向する側面保持部と、を備え、前記側面保持部は前記携帯電話の幅に合わせてスライドするように構成されていてもよい。
【０００９】
また、本発明に係る携帯電話保持部品において、前記保持部材は、前記ヘッドバンドの一方の下端に設けられる耳当て部に面ファスナーを介して着脱可能に設けられ、前記携帯電話の背面部に当接可能な背面保持部と、前記携帯電話の両側面部を挟持可能なように互いに対向する側面保持部と、を備え、前記側面保持部は前記携帯電話の幅に合わせてスライドするように構成されていてもよい。
【００１０】
さらに、本発明に係る携帯電話保持部品において、前記側面保持部のうちのいずれか一方の側面保持部と前記背面保持部との間にバネが介装され、前記一方の側面保持部は前記背面保持部に対して傾倒可能に設けられていてもよい。
【００１１】
さらに、本発明に係る携帯電話保持部品において、前記側面保持部のうちのいずれか一方の側面保持部は、前記背面保持部の端部に枢設され、該背面保持部に対して傾倒可能に設けられていてもよい。
【００１２】
さらに、本発明に係る携帯電話保持部品において、前記ヘッドバンドの他方の下端部には、側頭部に当接可能な側頭保持部が設けられ、該側頭保持部は、下端部が耳介の付け根部分上部に当接可能なように形成されていてもよい。
【発明の効果】
【００１３】
本発明に係る携帯電話保持部材よれば、携帯電話の使い勝手の向上やコストの低減化を図り、携帯電話の通信状態を良好に保持することができる等、種々の優れた効果を得ることができる。
【図面の簡単な説明】
【００１４】
【図１】本発明の実施の形態に係る携帯電話保持部品の使用時の状態を示す背面図である。
【図２】本発明の実施の形態に係る携帯電話保持部品のヘッドバンドを示す裏面図である。
【図３】本発明の実施の形態に係る携帯電話保持部品の耳当て部を示す右側面図である。
【図４】本発明の実施の形態に係る携帯電話保持部品の側頭保持部を示す左側面図である。
【図５】本発明の実施の形態に係る携帯電話保持部品の未使用時の状態を示す背面図である。
【図６】本発明の実施の形態に係る携帯電話保持部品の保持部材の変形例を示す図である。
【図７】本発明の実施の形態に係る携帯電話保持部品の保持部材の別の変形例を示す図である。
【図８】本発明の実施の形態に係る携帯電話保持部品の保持部材のさらに別の変形例を示す図である。
【発明を実施するための形態】
【００１５】
以下、図面を参照しつつ、本発明の実施の形態に係る携帯電話保持部品について詳細に説明する。
【００１６】
図１に示すように、本発明の実施の形態に係る携帯電話保持部品１０は、頭上部に装着されるヘッドバンド１１と、ヘッドバンド１１の下端部に設けられる耳当て部１２と、ヘッドバンド１１の他方の下端部に設けられて側頭部に当接可能な側頭保持部１３と、を備えている。
【００１７】
ヘッドバンド１１は、図２に示すように、帯板状で弾性を有するＡＢＳ樹脂製であり、その頭頂部分１４は他の部分より前後方向に幅広の形状を有しており、頭頂部分１４の裏面側には、滑り止めのため、多数の小突起部１５が形成されている。
【００１８】
耳当て部１２は、図３に示すように、ＡＢＳ樹脂製でヘッドバンド１１と一体成形され、ヘッドバンド１１の下端部分より前後方向に幅広の形状を有している。耳当て部１２には、上下方向に細長い長孔１６が形成されており、ダイヤル状の固定具１７のネジ部１８がこの長孔１６に挿通されて上下にスライド可能となっている。なお、この長孔１６を設ける代わりに、或いは、長孔１６に加えて、ヘッドバンド１１に対して耳当て部１２自体をスライド可能なように設けてもよい。
【００１９】
耳当て部１２の内側には、保持部材１９が設けられており、保持部材１９は、固定具１７のネジ部１８に締結されることにより、所望な上下及び前後傾倒位置に固定されるようになっている。
【００２０】
保持部材１９は、図１に示されているように、携帯電話２０の背面部２１に当接可能な背面保持部２２と、携帯電話２０の両側面部２３，２４を挟持可能なように互いに対向する側面保持部２５，２６と、を備えて構成されている。側面保持部２５，２６は携帯電話２０の幅に合わせてスライド可能に構成されており、背面保持部２２と側面保持部２５，２６の内面にはそれぞれＥＶＡ樹脂製のクッション材２７が貼付されている。
【００２１】
側頭保持部１３は、図４に示されているように、ＡＢＣ樹脂製でヘッドバンド１１に対して上下にスライド自在に形成されており、その下端部２８が耳介の付け根部分上部に当接可能なように前後方向に延出すると共に僅かに上方に湾曲した形状を成している。また、側頭保持部１３の内面にはＥＶＡ樹脂製のクッション材２９（図１参照）が貼付されている。
【００２２】
次に、このような構成を備えた本発明の実施の形態に係る携帯電話保持部品１０の使用方法について説明する。
【００２３】
先ず、保持部材１９の側面保持部２５，２６を携帯電話２０の幅に合わせてスライドさせ、側面保持部２５，２６によって携帯電話２０を挟持させる。また、固定具１７を緩めて保持部材１９を長孔１６に沿って上下にスライドさせると共にネジ部１８を支点に前後に傾倒させ、携帯電話２０を所望な保持姿勢にセットした上で、固定具１７を締め付け固定する。この時、背面保持部２２と側面保持部２５，２６の内面にはそれぞれクッション材２７が貼付されているため、携帯電話２０は損傷を受けることなく保持部材１９に確実に保持される。
【００２４】
次いで、このように携帯電話２０が保持部材１９にセットされた状態で、ヘッドバンド１１を頭部に装着し、ヘッドバンド１１に対して側頭保持部１３を所望な長さにスライドさせて側頭保持部１３の下端部２８を耳介の付け根部分上部に当接させると、携帯電話２０が所望な通話位置にセットされる。これにより、携帯電話２０でのハンズフリー通話を行うことができる。この時、側頭保持部１３の下端部が耳介の付け根部分上部に当接することにより、携帯電話保持部品１０はより安定性良く頭部に装着される。
【００２５】
そして、ハンズフリー通話終了後、携帯電話２０を使用しない場合には、ヘッドバンド１１を頭部から取り外すと、ヘッドバンド１１の弾性によって、携帯電話保持部品１０は、図５に示すように、自然にコンパクトに閉じた状態になる。そのため、この状態で携帯電話保持部品１０を首に掛けることにより、携帯電話２０の次の使用に備えたり、或いは、最小の収納スペースでこの携帯電話保持部品１０を収納したりすることができる。
【００２６】
このように本発明の実施の形態に係る携帯電話保持部材１０によれば、携帯電話２０の種類（例えば、ストレート式、折り畳み式、スライド式、スマートフォン等）に拘わらず、携帯電話２０の幅に合わせて側面保持部２５，２６をスライドさせることにより、保持部材１９により市販の携帯電話２０を上下及び前後の所望な位置で確実に保持しながら、ハンズフリーで通話を行うことができるため、通話中でも両手を使用して作業をすることができ、作業性を高めることができる。また、携帯電話２０にイヤホン用のコードを繋いだりする必要がなく、コードの取り扱いが煩雑となったり、コードが通話中の作業の邪魔になったりするおそれがなく、また、携帯電話２０を充電しながら通話をすることもできるため、携帯電話２０の使い勝手の向上を図ることができる。さらに、無線により携帯電話２０と接続して通話する従来の方法のように、設備コストが高くついたり、或いは、通話中の音声が途切れたりして携帯電話２０の通信状態が良好に保持できなかったりすることもない。
【００２７】
なお、上記した実施の形態では、保持部材１９が固定部１７によって耳当て部１２に固定される場合について説明したが、本発明はこの場合に限定されるものではなく、例えば、耳当て部１２の内面に面ファスナー（図示省略）を介して保持部材１９が着脱可能に設けられるように構成してもよい。この場合、耳当て部１２に対する保持部材１９の着脱作業をより容易に行うことができると共に、保持部材１９に保持された携帯電話２０の姿勢を上下及び前後に一層簡単に変更することができるようになる。
【００２８】
さらに、保持部材１９の構造についても、上記した実施の形態において説明した構造に限定されるものではなく、各種変更が可能である。すなわち、例えば、図６や図７に示すように、側面保持部２５，２６のうちのいずれか一方の側面保持部２５と背面保持部２２との間にバネ３０，３１を介装し、一方の側面保持部２５が背面保持部２２に対して傾倒可能なように構成し、携帯電話２０を上下方向又は横方向から装着させるようにしたり、或いは、図８に示すように、側面保持部２５，２６のうちのいずれか一方の側面保持部２５を背面保持部２２の端部に枢設し、背面保持部２２に対して傾倒可能なように構成し、携帯電話２０を正面方向（図８の実線矢印方向）から装着させるようにしたりすることもできる。これらの場合、保持部材１９に携帯電話２０を保持させる作業をより簡単に行うことができるようになる。
【００２９】
なお、上記した本発明の実施の形態の説明は、本発明に係る携帯電話保持部品の好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３０】
１０          携帯電話保持部品
１１          ヘッドバンド
１２          耳当て部
１３          側頭保持部
１９          保持部材
２０          携帯電話
２２          背面保持部
２５          側面保持部
２６          側面保持部
３０          バネ
３１          バネ
【図１】
2012244329.tif 000003
【図２】
2012244329.tif 000004
【図３】
2012244329.tif 000005
【図４】
2012244329.tif 000006
【図５】
2012244329.tif 000007
【図６】
2012244329.tif 000008
【図７】
2012244329.tif 000009
【図８】
2012244329.tif 000010